(57)【要約】      （修正有）【課題】基地局間のデータ伝送および基地局と指令卓間のデータ伝送を実現するデジタル無線システムの提供。【解決手段】複数の基地局と複数の指令卓とを切替制御装置で結合されているデジタル無線システムにおいて、少なくとも上記基地局の１つは、データ端末装置からのデータを入力される入力部と少なくとも上記データを伝送する上記基地局および指令卓のいずれかのアドレスを記憶する記憶部と、上記記憶部に記憶されているアドレスの1つを選択する操作部と、上記基地局を制御する第1の制御部および上記第1の制御部の制御に基づいて上記アドレスを上記切替制御装置に送出する出力部からなり、上記切替制御装置は、上記出力部から得られる上記アドレスを検出するアドレス検出部と、上記データの送り先を切替える接続部および第２の制御部からなり、上記第２の制御部は、上記アドレス検出部からの検出信号に基づき上記接続部を制御するように構成される。【選択図】  図１
2005136539.tif 000002
【特許請求の範囲】
【請求項１】
複数の基地局と複数の指令卓とが切替制御装置で結合されているデジタル無線システムにおいて、少なくとも上記基地局の１つは、データ端末装置からのデータを入力される入力部と少なくとも上記データを伝送する上記基地局および指令卓のいずれかのアドレスを記憶する記憶部と、上記記憶部に記憶されているアドレスの1つを選択する操作部と、上記基地局を制御する第1の制御部および上記第1の制御部の制御に基づいて上記アドレスを上記切替制御装置に送出する出力部からなり、上記切替制御装置は、上記出力部から得られる上記アドレスを検出するアドレス検出部と、上記データの送り先を切替える接続部および第２の制御部からなり、上記第２の制御部は、上記アドレス検出部からの検出信号に基づき上記接続部を制御することを特徴とするデジタル無線システム。
【発明の詳細な説明】
【技術分野】
【０００１】
本発明は、デジタル無線システムに関し、特に音声をデジタル信号に変換して送受信するデジタル無線システムに関するものである。
【背景技術】
【０００２】
デジタル無線システムを用いてデータを伝送するシステムには、種々の形式のシステムが実用化されている。例えば、ＳＣＰＣ（Single Channel Per Carrier）方式のデジタル無線システムを用いたデータ伝送システムとしては、図７に示すようなシステムが実現されている。図７において７０１−１、７０１−２、・・・は、移動局を示す。なお、移動局を総称する場合は、移動局７０１と呼ぶことにする。７０２−１、７０２−２、・・・は、基地局無線機を示す。なお、基地局無線機を総称する場合は、基地局無線機７０２と称する。また、簡単に基地局７０２と略称する。また、図７では５つの基地局を示している。７０３−１、７０３−２、・・・は、指令卓を示し、指令卓を総称する場合は、指令卓７０３と称する。７０４は、切替制御装置で、基地局７０２と指令卓７０３を切替接続するための制御装置である。また、７０５−１、７０５−２、・・・は、データ端末装置であり、データ端末装置を総称する場合は、データ端末装置７０５と称する。データ端末装置７０５は、例えば、移動局７０１と基地局７０２で、データ伝送を行う装置間に接続され、基地局７０２と移動局７０１との間でデータ伝送が行われる。図７では、データ端末装置７０５は、移動局１、移動局２、基地局１および指令卓１に接続され、それらの装置間でデータ伝送が行われることを示している。
【０００３】
図８は、基地局７０２と指令卓７０３の具体的な構成を示すブロック図である。まず、基地局７０２において、８０１は、基地局全体の制御を行うマイクロコンピュータ等で構成される制御部である。制御部８０１は、データ端末装置７０５と接続され、データ端末装置７０５との間のデータの送受信を行う。８０２は、指令卓７０３から端子８０３を介して入力されるアナログ音声信号をデジタル信号に変換するＡＤ変換部、８０４は、デジタル音声信号をアナログ音声信号に変換するＤＡ変換部であり、このアナログ音声信号は、端子８０５を介して指令卓７０３に送信される。８０６は、デジタル信号処理プロセッサ（以下ＤＳＰと略称する。）であり、音声符号化部８０７および音声復号化部８０８で構成されている。音声符号化部８０７は、ＡＤ変換部８０２から入力されるデジタル音声信号に音声符号化と誤り訂正符号化を行ない、バスライン８０９に送出する。音声復号化部８０８は、バスライン８０９から受信した音声信号に音声復号化と誤り訂正復号化を行なう。
【０００４】
８１０は、デジタル信号処理プロセッサ（以下ＤＳＰと略称する。）であり、チャネル符号化部８１１とチャネル復号化部８１２で構成されている。チャネル符号化部８１１は、音声符号化部８０７で符号化された音声データと、制御部８０１から送られてくる各種の制御データにより構成される送信データに誤り検出、訂正能力の付加等、無線通信に必要な通信情報の付加を行うチャネル符号化処理を行い、送信フレームを生成し、送信ユニット（Ｔｘユニット）８１３から移動局７０１に送信される。チャネル復号化部８１２は、移動局７０１から受信ユニット（Ｒｘユニット）８１４を介して受信された受信信号（受信フレーム）から通信に必要な情報を除去し、音声信号を復号し、音声復号化部８０８に送信する。
【０００５】
８１５は、移動局７０１からの通信が着信したことを指令卓７０３に知らせるために、特定の周波数のビジートーン信号を発生するトーン発生部であり、異なる基地局７０２からは、異なるトーン信号を発生するように構成されている。また、８１６は、後述するプレストーン信号を検出するプレストーン検出部である。
【０００６】
次に、指令卓７０３について説明する。８１７は、受信音声を出力するレシーバまたはスピーカ、８１８は、送信音声を入力するマイク、８１９は、マイクアンプ、８２０は、スピーカアンプ、８２１は、ＰＴＴ（Press To Talk）スイッチ、８２２は、無線システムの状態表示を行う表示器である。８２３は、ＰＴＴスイッチ８２１が押されている間、特定の周波数のプレストーン信号を発生するトーン発生部であり、異なる指令卓７０３からは、異なるプレストーン信号が発生されるように構成されている。８２４は、基地局７０２のトーン発生部８１５から送られるビジートーン信号を検出するトーン検出部である。また、８２５は、制御卓７０３の動作を制御するための制御部である。また、図８において、８２６および８２８は、ＭＳＫ（Minimum Shift Keying）信号発生部、８２７および８２９は、ＭＳＫ信号検出部、８３０および８３１は、加算器、８３５は、出力端子、８３４は、入力端子および８３２は、基地局選択部である。なお、ＭＳＫ信号発生部、ＭＳＫ信号検出部および基地局選択部については後述する。
【０００７】
次に上述した無線システムを用いたデータ伝送の基本動作を図７を用いて説明する。このデジタル無線システムは、プレストーク方式の無線システムであり、通話は、基地局７０２を経由した移動局７０１間の通話と、指令卓７０３と基地局７０２を経由した移動局７０１間の通話が可能である。その場合、音声データは、デジタル無線システムで使用されている通信用チャネルのＴＣＨに配置し、４０msのフレームで送受信される。なお、デジタル無線システムの通信用チャネルのデータフォーマットは、日本標準規格 ARIB STD:T-61（財団法人  電波産業界）に詳細が規定されている。ここで、この通信用チャネルのデータフォーマットについて図４に基づいて詳細に説明する。
【０００８】
図４は、通信用チャネルの１フレームのデータフォーマットを示す。そしてこの１フレームは、ＬＰ＋Ｒ（リニアライザ用プリアンブル及びバースト過渡応答用ガードタイム）、Ｐ（プリアンブル）、ＴＣＨ（トラヒックチャネル）、ＲＩＣＨ（無線情報チャネルであり、音声信号、空線信号、同期バーストの識別を含む）、ＳＷ（同期ワード）および未定義エリアからなっている。この１フレームは、周期４０m sec で、３８４bitの繰返しで構成されている。なお、未定義エリアは、ユーザが自由に利用できるエリアである。
【０００９】
而して、基地局７０２と移動局７０１間のデータ伝送を行う場合、例えば、データ端末装置７０５−２から基地局７０２−１および移動局７０１−１を介してデータ端末装置７０５−１と送受信する場合、データを図４に示すＴＣＨに配置して送受信する。ＴＣＨは、１フレーム４０m secにつき２５６ビットであり、最大６４００bpsのデータ伝送が可能である。
【００１０】
次に、指令卓７０３−１に接続されたデータ端末装置７０５−３から移動局７０１−２に接続されたデータ端末装置７０５−４にデータを伝送する場合の動作を説明する。まず始めに操作者が図８に示す指令卓７０３−１の基地局選択部８３２（例えばスイッチＳＷで構成される。）により、データ伝送対象の基地局、例えば、基地局７０２−５を指定する。これにより図７に示す切替制御装置７０４は、指令卓７０３−１と基地局７０２−５間の通信路を接続する。
【００１１】
これについて図９を用いて更に詳細に説明する。図９は、切替制御装置７０４の具体的な構成を示すブロック図である。図９において、９０１は、複数の指令卓７０３と基地局７０２との間を切替接続するクロスポイントで構成された接続部である。９０２−１、・・・９０２−５は、基地局７０２からのルートトーンおよびビジートーンを検出するトーン検出部である（なお総称する場合は、トーン検出部９０２と称する。以下同様）。９０３−１、・・・９０３−５は、基地局７０２に対するプレストーンを発生するトーン発生部、９０４−１、・・・９０４−５は、基地局７０２からの受信信号からルートトーンおよびビジートーンを除去するＬＰＦ（Low Pass Filter）、９０５−１、・・・９０５−５は、指令卓７０３からのＭＳＫ信号を検出するＭＳＫ信号検出部、９０６−１、・・・９０６−５は、指令卓７０３に対してビジートーンを発生するトーン発生部、９０７−１、・・・９０７−５は、指令卓７０３からのルートトーンとプレストーンを検出するトーン検出部、９０８−１、・・・９０８−５は、指令卓７０３からの送信信号からルートトーンとプレストーンを除去するＬＰＦである。また、９０９は、切替制御装置７０４を制御するＭＰＵ（Micro Processor unit）のような制御部である。
【００１２】
まず、始めに指令卓７０３において基地局選択部８３２のスイッチＳＷを押すことにより、接続先の基地局番号を含んだＭＳＫ信号がＭＳＫ検出部９０５を介してＭＰＵ（Micro Processor unit）のような制御部９０９に入力される。制御部９０９は、入力された基地局番号に従って接続部９０１を制御し、該当する指令卓７０３と基地局７０２間のクロスポイントを接続する。この状態でデータ端末装置７０５−３からのデータ伝送を開始する。まず、指令卓７０３−１の制御部８２５は、データ端末装置７０５−３からのデータを受信すると、ＭＳＫ発生部８２８に対してデータを出力する。ＭＳＫ発生部８２８は、制御部８２５から送られてくるデータをＭＳＫ変調してアナログ信号として送出し、加算器８３１でマイク８１８からの音声信号に加算する。ＭＳＫ変調されたアナログ信号は、１２００Ｈｚ〜２４００Ｈｚの周波数であり、指令卓７０３と基地局７０２間を接続する音声用の信号線で伝送が可能である。
【００１３】
基地局７０２−５のＭＳＫ検出部８２９では、指令卓７０３−１から送られたＭＳＫアナログ信号を検出し、デジタル信号に変換して制御部８０１に対して出力する。制御部８０１は、受信した指令卓７０３−１からのデータをチャネル符号化部８１１に対して出力する。チャネル符号化部８１１では、制御部８０１から受信するデータを図４に示す通信用チャネルのデータフォーマットに変換してＴｘユニット８１３に出力する。これによりデータ端末装置７０５−３が接続された指令卓７０３−１から移動局７０１−２の接続されたデータ端末装置７０５−４へのデータ伝送が可能となる。
【００１４】
次に、例えば、移動局７０１−１に接続されたデータ端末装置７０５−１から指令卓７０３−１に接続されたデータ端末装置７０５−３にデータを伝送する場合の動作を説明する。データ端末装置７０５−１から送られたデータは、移動局７０１−１を介して基地局７０２−１のＲｘユニット８１４で受信され、チャネル復号化部８１２に印加される。ここで、制御部８０１は、チャネル復号化部８１２から図４で示す通信用チャネルのデータフォーマットで出力されるデータフレームからＴＣＨに配置されている受信データを取り出し、ＭＳＫ信号発生部８２６に対して出力する。ＭＳＫ信号発生部８２６は、制御部８０１から送られてくるデータをＭＳＫ変調してアナログ信号として加算器８３０で基地局７０２−１から指令卓７０３−１への音声信号ラインに加算する。指令卓７０３−１のＭＳＫ検出部８２７は、基地局７０２−１からのＭＳＫアナログ信号をデジタル信号に変換して制御部８２５に対して出力する。制御部８２５は、受信した基地局７０２−１からのデータをデータ端末装置７０５−３に対して出力する。これにより移動局７０１−１から指令卓７０３−１へのデータ伝送が可能となる。
【００１５】
【特許文献１】特に、発見されていない。
【発明の開示】
【発明が解決しようとする課題】
【００１６】
以上説明したデジタル無線システムでは、基地局、移動局および指令卓にデータ端末装置が接続可能であるが、現在実現されているデータ伝送機能は、基地局と移動局間あるいは指令卓と移動局間の二通りのデータ伝送機能を有しているが、基地局間のデータ伝送および基地局と指令卓間のデータ伝送ができないという不都合がある。
【００１７】
本発明の目的は、基地局間のデータ伝送および基地局と指令卓間のデータ伝送を実現するデジタル無線システムを提供することである。
【課題を解決するための手段】
【００１８】
本発明のデジタル無線システムは、複数の基地局と複数の指令卓とを切替制御装置で結合されているデジタル無線システムにおいて、少なくとも上記基地局の１つは、データ端末装置からのデータを入力される入力部と少なくとも上記データを伝送する上記基地局および指令卓のいずれかのアドレスを記憶する記憶部と、上記記憶部に記憶されているアドレスの1つを選択する操作部と、上記基地局を制御する第1の制御部および上記第1の制御部の制御に基づいて上記アドレスを上記切替制御装置に送出する出力部からなり、上記切替制御装置は、上記出力部から得られる上記アドレスを検出するアドレス検出部と、上記データの送り先を切替える接続部および第２の制御部からなり、上記第２の制御部は、上記アドレス検出部からの検出信号に基づき上記接続部を制御するように構成される。
【００１９】
また、本発明のデジタル無線システムにおいて、上記アドレスを上記切替制御装置に送出する出力部は、ＭＳＫ信号発生部であり、上記アドレス検出部は、ＭＳＫ信号検出部である。
【００２０】
また、本発明のデジタル無線システムにおいて、上記複数の基地局の内、少なくとも２つの第１と第２の基地局は、データ端末装置を結合され、上記第１と第２の基地局は、各々上記データ端末装置からのデータを入力される入力部と上記入力されたデータを各々伝送する上記基地局のアドレスを記憶する記憶部と、上記記憶部に記憶されているアドレスの1つを選択する操作部と、上記基地局を制御する第1の制御部および上記第1の制御部の制御に基づいて上記アドレスを上記切替制御装置に送出する出力部からなり、上記切替制御装置は、上記出力部から得られる上記アドレスを検出するアドレス検出部と、上記データの送り先を切替える接続部および第２の制御部からなり、上記第２の制御部は、上記アドレス検出部からの検出信号に基づき上記接続部を制御して上記第１と第２の基地局を接続するように構成される。
【００２１】
また、本発明のデジタル無線システムにおいて、上記デジタル無線システムは、ＳＣＰＣ方式の無線システムである。
【発明の効果】
【００２２】
以上説明したように本発明によれば、従来のデータ伝送機能に加えて基地局間あるいは基地局と指令卓間のデータ伝送が可能となり、デジタル無線システムにおけるデータ伝送の自由度が大幅に向上し、実用性の極めて高いデジタル無線システムが実現できるという効果がある。
【発明を実施するための最良の形態】
【００２３】
図１は、本発明の一実施例を示すブロック構成図である。図７に示す従来のデジタル無線システムにおいて、データ端末装置７０５を複数の基地局７０２に接続し、基地局７０２間のデータ伝送およびを基地局７０２と指令卓７０３間のデータ伝送を可能としたものである。１０１は、切替制御装置、７０５−５は、基地局７０２−５に接続されたデータ端末装置である。なお、各部の符号は、図７の各部の符号に対応する。また、図１では、データ端末装置７０５は、基地局７０２−１と７０２−５に接続されている場合が示されているが、必要に応じて他の基地局７０２にも接続することができ、図１のものに限定されないことは勿論である。
【００２４】
さて、図１に示す本発明のデジタル無線システムにおいて、基地局７０２相互のデータ伝送および基地局７０２と指令卓７０３間のデータ伝送を実現するための切替制御装置１０１の具体的な構成を図２に示す。また、本発明のデジタル無線システムにおいて使用される指令卓７０３および基地局７０２の構成を図３に示す。図３において、３０１および３０２は、ＭＳＫ信号発生部、また、３０３および３０４は、操作部であり、その詳細は後述する。なお、各部の符号は、図８に示すものと同じである。また、図２において、２０１−１、・・・２０１−５は、ＭＳＫ検出部である。なお、図９と同じものには、同じ符号が付されている。
【００２５】
ここで、本発明の基本的原理を説明する。まず、図７に示す従来の基地局のデータ端末装置、例えば、データ端末装置７０５−２、７０５−３は、データの送信先は、移動局７０１のみであった。しかし、本発明では、データ伝送を開始する前にデータの伝送先を選択する。そのために基地局７０２および指令卓７０３のＭＳＫ発生部３０１および３０２は、それぞれ送信先の例えば番地（またはアドレス）を記憶しており、データ端末装置７０５−２、７０５−３から送られてくる番地に対応したＭＳＫ信号を発生するようになされている。従って、切替制御装置１０１の制御部９０９は、送られてきたＭＳＫ信号を検出し、その検出結果に基づいて接続部の９０１のクロスポイントを制御し、データ端末装置７０５から送られてくるデータを所定の基地局７０２あるいは指令卓７０３に伝送する。
【００２６】
以下これについて詳細に説明する。図６は、ＭＳＫ発生部３０１および３０２に記憶されている指令卓あるいは基地局のアドレス（または番地）である。例えば、図６（ａ）は、指令卓Ｎｏ．に対する固有のアドレスを定めたテーブルであり、例えば、指令卓７０３−１は、アドレス００１である。なお、図１の場合は、ｎ＝５である。同様に、図６（ｂ）は、基地局Ｎｏ．に対する固有のアドレスを定めたテーブルであり、例えば、基地局７０２−１は、アドレス１１１である。なお、図１の場合は、ｍ＝５である。これらのテーブルは、ＭＳＫ発生部３０１および３０２の記憶部（図示せず。）、例えば、ＲＯＭに記憶されている。なお、本実施例では、送信先の番地またはアドレスをＭＳＫ発生部３０１および３０２に記憶している場合を説明したが、これに限らず制御部８０１および８２５あるいはその他の記憶部に適宜記憶させることができることは言うまでもない。
【００２７】
また、ＭＳＫ信号は、図５に示されるように構成されている。即ち、ビット同期部分５０１は、０１０１・・・の周期的な信号で構成される。ワード同期部分５０２は、例えば、１１０００１００１０のような固定のパターンで構成される。データ部５０３は、基地局番地あるいは指令卓番地が挿入される部分であり、データ端末装置７０５から送出されるデータがどの指令卓７０３か、どの基地局７０２かにより図６に示されるアドレス（番地）が選択され、そのアドレスが挿入される。例えば、指令卓７０３−１に接続されているデータ端末装置７０５−３にデータを送る場合は、図６（ａ）のアドレス００１が選ばれる。また、このＭＳＫ信号の“１”は、ｆ１（例えば、１８００Ｈｚ）および“０”は、ｆ２（例えば、１２００ＨＺ）で構成されている。なお、選択の方法は、種々考えられるが、例えば、基地局７０２の制御部８０１に操作部３０３から選択信号が送られる。また、指令卓７０３では、制御部８２５に結合されている操作部３０４からの選択信号で選ばれるように構成される。なお、操作部３０４は、図８に示す基地局選択部８３２の機能も有していることは言うまでもない。
【００２８】
以下本発明の動作を説明する。まず、基地局７０２−１に接続されたデータ端末装置７０５−２から指令卓７０３−１に接続されたデータ端末装置７０５−３にデータを伝送する場合の動作を説明する。まず始めに操作者は、基地局７０２−１の制御部８０１に操作部３０３からＭＳＫ発生部３０１に記憶している指令卓７０３−１のアドレス（例えば、図６（ａ）では００１）を選択し、このアドレスが付加されたＭＳＫ信号を発生する。このＭＳＫ信号が端子８０５を経由して図２に示すＭＳＫ検出部２０１−１で検出される。この接続先の指令卓番号を含んだＭＳＫ信号がＭＰＵ（Micro Processor unit）のような制御部９０９に入力される。制御部９０９は、入力された指令卓番号に従って接続部９０１を制御し、該当する指令卓７０３−１と基地局７０２−１間のクロスポイントを接続する。この状態でデータ端末装置７０５−２からのデータ伝送を開始する。まず、基地局７０２−１の制御部８０１は、データ端末装置７０５−２からのデータを受信すると、ＭＳＫ発生部３０１に対してデータを出力する。ＭＳＫ発生部３０１は、制御部８０１から送られてくるデータをＭＳＫ変調してアナログ信号として送出し、加算器８３０から指令卓に送出される。ＭＳＫ変調されたアナログ信号は、１２００Ｈｚ〜２４００Ｈｚの周波数であり、基地局７０２と指令卓７０３間を接続する音声用の信号線で伝送が可能である。
【００２９】
指令卓７０３−１のＭＳＫ検出部８２７では、基地局７０２−１から送られたＭＳＫアナログ信号を検出し、デジタル信号に変換して制御部８２５に対して出力する。制御部８２５は、受信した指令卓７０２−１からのデータをデータ端末装置７０５−３に対して出力する。これによりデータ端末装置７０５−２が接続された基地局７０２−１から指令卓７０３−１に接続されたデータ端末装置７０５−３へのデータ伝送が可能となる。
【００３０】
次に、例えば、基地局７０２−１に接続されたデータ端末装置７０５−２から基地局７０２−５に接続されたデータ端末装置７０５−５にデータを伝送する場合の動作を説明する。まず始めに操作者は、基地局７０２−１の制御部８０１に接続された操作部３０３によりＭＳＫ発生部３０１に記憶している基地局７０２−５のアドレス（例えば、図６（ｂ）では０１１、ここにｍ＝５とする。）を選択し、このアドレスが付加されたＭＳＫ信号を発生する。このＭＳＫ信号が端子８０５を経由して図２に示すＭＳＫ検出部２０１−１で検出される。この接続先の基地局番号を含んだＭＳＫ信号がＭＰＵ（Micro Processor unit）のような制御部９０９に入力される。制御部９０９は、入力された基地局番号に従って接続部９０１を制御し、該当する基地局７０２−５と基地局７０２−１間のクロスポイントを接続する。この状態でデータ端末装置７０５−２からのデータ伝送を開始する。まず、基地局７０２−１の制御部８０１は、データ端末装置７０５−２からのデータを受信すると、ＭＳＫ発生部３０１に対してデータを出力する。ＭＳＫ発生部３０１は、制御部８０１から送られてくるデータをＭＳＫ変調してアナログ信号として送出し、加算器８３０から基地局７０２−５に送出される。基地局７０２−５では、基地局７０２−１から送られたＭＳＫ変調されたアナログ信号を基地局７０２−５のＭＳＫ検出部８２９で受信し、デジタル信号に変換し、基地局７０２−５の制御部８０１に入力され、データ端末装置７０５−５に送信される。なお、上記以外のデータ端末装置７０５間のデータ伝送は、図７に示す従来のデジタル無線システムと同じであるので、詳細な説明は省略する。
【００３１】
以上、本発明について詳細に説明したが、本発明は、ここに記載されたデジタル無線システムの実施例に限定されるものではなく、上記以外のデジタル無線システムに広く適応することが出来ることは、言うまでも無い。
【図面の簡単な説明】
【００３２】
【図１】本発明の一実施例の概略構成を示すブロック図である。
【図２】本発明の切替制御装置の具体的構成を示すブロック図である。
【図３】本発明に使用される基地局および指令卓の具体的構成を示すブロック図である。
【図４】デジタル無線システムで使用されるフレームフォーマットを示す図である。
【図５】本発明で使用するＭＳＫ信号フォーマットを示す図である。
【図６】本発明において使用されるアドレステーブルを示す図である。
【図７】従来のデジタル無線システムの一例を示すブロック図である。
【図８】従来のデジタル無線システムで使用される基地局および指令卓の具体的構成を示すブロック図である。
【図９】従来の切替制御装置の具体的構成を示すブロック図である。
【符号の説明】
【００３３】
１０１、７０４：切替制御装置、２０１、８２７、８２９：ＭＳＫ検出部、３０１、３０２：ＭＳＫ発生部、７０１：移動局、７０２：基地局、７０３：指令卓、７０５：データ端末装置、８０１，８２５：制御部、８０２：ＡＤ変換部、８０４：ＤＡ変換部、８０６、８１０：ＤＳＰ、８０７：音声符号化部、８０８：音声復号化部、８０９：バスライン、８１１：チャネル符号化部、８１２：チャネル復号化部、８１３：Ｔｘユニット、８１４：Ｒｘユニット、８１５、８２３：トーン発生部、８１６、８２４：トーン検出部、８１７：スピーカ、８１８：マイク、８１９：マイクアンプ、８２０：スピーカアンプ、８２１：ＰＴＴスイッチ、８２２：表示器、８２３：基地局選択部。
【図１】
2005136539.tif 000003
【図２】
2005136539.tif 000004
【図３】
2005136539.tif 000005
【図４】
2005136539.tif 000006
【図５】
2005136539.tif 000007
【図６】
2005136539.tif 000008
【図７】
2005136539.tif 000009
【図８】
2005136539.tif 000010
【図９】
2005136539.tif 000011